(57)【要約】【課題】  発射レールへ供給されるパチンコ球に特に横からの勢いを消し、ほとんど上方から発射レールの上面に落とすことによってぶれをほとんど無くして、常にパチンコ球の球飛び状態を良好となし得る弾球遊技機の球送り装置を提供する。【解決手段】  打球供給皿１０のパチンコ球ｂが導かれる球送通路３２の流下端に球送出部３３を成形し、球送出部３３には、上下動して球送通路３２を流下するパチンコ球ｂを一個ずつ上端面３７ａで押し上げ球送出口４１から発射位置Ａへ送り出す押動杆３８を配置した球送り装置であって、押動杆３８の上端面３７ａをほぼ水平に成形し、球送出口４１の下縁に底面にあるパチンコ球ｂの流出を防止する立上壁４３を設けると共に球送出部３３には押動杆３８の上方に位置して下面が球送出口４１に向かって漸次高くなる誘導部４２を設けた構成からなる。【選択図】図４
2005046380.tif 000002
【特許請求の範囲】
【請求項１】
前板の裏面に沿って配置され打球供給皿のパチンコ球が導かれる球送通路の流下端に該球送通路と連通する球送出部を成形し、前記球送出部には、その一側に球送出口を開設すると共に上下動して前記球送通路を流下するパチンコ球を一個ずつ上端面で押し上げ前記球送出口から発射レールの発射位置へ送り出す押動杆を配置した弾球遊技機における球送り装置であって、
前記押動杆の上端面をほぼ水平に成形し、また前記球送出部の底面と前記球送出口の下縁との間に該底面にあるパチンコ球の流出を防止する立上壁を設けると共に前記球送出部には前記押動杆の上方に位置して下面が該球送出口に向かって漸次高くなる誘導部を設け、前記押動杆の上動動作により押し上げられるパチンコ球を前記誘導部の下面に沿って前記球送出口側へ誘導して発射レールの発射位置へ供給するようにしたことを特徴とする弾球遊技機における球送り装置。
【請求項２】
前記球送出部における前記球送通路の流下端と対向する側壁であって底面からパチンコ球の半径寸法とほぼ同じ高さ位置に上方が広がる段部を設けた請求項１記載の弾球遊技機における球送り装置。
【発明の詳細な説明】
【技術分野】
【０００１】
この発明は、弾球遊技機において打球供給皿から導かれるパチンコ球を発射レールの発射位置へ供給するための球送り装置に関するものである。
【背景技術】
【０００２】
弾球遊技機の一種であるパチンコ遊技機の球送り装置として、次のようなものがある(特許文献１参照。)。すなわち、この球送り装置は、球受皿内から転動したパチンコ球が通り抜ける球導入口に対向して揺動動作可能に設置された球送り制御片には前記球導入口を通り抜けたパチンコ球を受取って発射レール上の発射起点へ向けて放出する球受面と、この球受面が先行する１個目のパチンコ球を受取るときに次続する２個目のパチンコ球を転動途中で受止めて１個目のパチンコ球から分離させかつ前記球受面が１個目のパチンコ球を放出するときに２個目のパチンコ球を解放する球止め部とを形成し、球受皿上から転動したパチンコ球を逐次発射起点へ供給するようにした構成からなる。
【特許文献１】特開平５−７６６３９号公報(第２−５頁、図１)
【発明の開示】
【発明が解決しようとする課題】
【０００３】
ところで、発射レールから打ち出されたパチンコ球の球飛び状態が悪いと、遊技者が操作ハンドルを調節して遊技盤面上の所望の位置に飛ばすことができなくなったり、遊技盤面に打ち込まれるまでの飛送中に跳ね返って透明板保持枠に装着される透明板であるガラス板を破損させたりするといった遊技上許されざる事態が起こることから、球飛び状態は遊技上極めて重要な要素である。
【０００４】
球飛び状態を良くするには、例えば発射されるパチンコ球の中心を打撃する必要があり、このために発射されるパチンコ球が発射レールの発射位置で極力踊らず静止していることが条件となる。このようにすれば、パチンコ球の中心を打撃し易い。
【０００５】
しかしながら、前記特許文献１に係る球送り装置にあっては、球送り制御片の球受面の上面が球送出口側へ下向き傾斜している。このため、球受面が上昇端位置へ移動したとき、球受面で受けられたパチンコ球はその球受面に沿って自重で転動し球送出口を通り抜けて発射レール基端部の発射起点上面に落下するので、前記パチンコ球には比較的勢いが付き、しかも発射レールへ横方向から供給されることから、発射レールの上面に乗ったときそのパチンコ球が発射レールの幅方向に小刻みにぶれる可能性が高い。このような状態になると、通常稼動時にはパチンコ球は１分間に１００個、すなわち０．６秒という極めて短い時間に１個の割合で発射されることから、少しのぶれが致命傷となって、球飛び状態が悪くなってしまうという課題がある。
【０００６】
そこで、本発明は上記課題を解決すべくなされたもので、球送り装置から発射レールへ供給されるパチンコ球に特に横からの勢いを消し、発射レールの上面にほとんど上方から落とすことにより発射レールの幅方向のぶれをほとんど無くし、常に発射されるパチンコ球のほぼ中心を打撃できるようにして球飛び状態を良好となし得る弾球遊技機の球送り装置を提供することを目的とするものである。
【課題を解決するための手段】
【０００７】
かかる目的を達成するため本発明に係る弾球遊技機における球送り装置は、前板の裏面に沿って配置され打球供給皿のパチンコ球が導かれる球送通路の流下端に該球送通路と連通する球送出部を成形し、前記球送出部には、その一側に球送出口を開設すると共に上下動して前記球送通路を流下するパチンコ球を一個ずつ上端面で押し上げ前記球送出口から発射レールの発射位置へ送り出す押動杆を配置した弾球遊技機における球送り装置であって、前記押動杆の上端面をほぼ水平に成形し、また前記球送出部の底面と前記球送出口の下縁との間に該底面にあるパチンコ球の流出を防止する立上壁を設けると共に前記球送出部には前記押動杆の上方に位置して下面が該球送出口に向かって漸次高くなる誘導部を設け、前記押動杆の上動動作により押し上げられるパチンコ球を前記誘導部の下面に沿って前記球送出口側へ誘導して発射レールの発射位置へ供給するようにした。
【０００８】
この場合、前記球送出部における前記球送通路の流下端と対向する側壁であって底面からパチンコ球の半径寸法とほぼ同じ高さ位置に上方が広がる段部を設けることが好ましい。
【発明の効果】
【０００９】
本発明は、球送通路から球送出部に入るパチンコ球を一個ずつ押動杆で上方へ押し上げつつ誘導部の下面に沿って球送出口側へ誘導するようにしたので、発射レールの発射位置へ供給されるパチンコ球が発射レールの上面にその上方から落ちて発射レールの幅方向へのぶれがほとんど無く、常にパチンコ球の中心を打撃することができることとなり、発射されるパチンコ球の球飛び状態を良好となし得るという効果がある。
【００１０】
また、球送出部における球送通路の流下端と対向する側壁であって底面からパチンコ球の半径寸法とほぼ同じ高さ位置に上方が広がる段部を設けるようにすれば、押動杆により押し上げられるパチンコ球が球圧に関係なく上方へ抜け易く、パチンコ球が円滑に供給できるという効果がある。
【発明を実施するための最良の形態】
【００１１】
以下、本発明に係る弾球遊技機の球送り装置の実施の形態を図面に基づき説明する。なお、弾球遊技機には、例えばパチンコ遊技機、アレンジボール機または雀球遊技機が挙げられるが、本発明にあっては、その一例としてパチンコ遊技機について説明する。
【００１２】
図１は本発明が適用されるパチンコ遊技機の正面図、図２は同透明板保持枠及び前板を開いた状態の斜視図である。図において、１はパチンコ遊技機Ｐにおける木製の外枠であって、縦長方形枠状に成形されている。その前面に前枠２がその一側上下部を前記外枠１の一側上下部に設けた軸支部３，３に軸支して回動自在に装着される。前記前枠２には略円形の窓口４が開設され、該前枠２の裏面に配置固定される遊技盤５前面の遊技部５ａが前記窓口４に臨むようになっている。
【００１３】
前記前枠２の前面に、遊技盤５の遊技部５ａを覆う２枚の透明板であるガラス板６を備えた透明板保持枠７が回動可能に装着される。この透明板保持枠７は、その横幅が、正面から見て外枠１とほぼ同じ寸法を有する。また、透明板保持枠７の下方には前板８と該前板８の下方に位置する下部板９がそれぞれ同様に回動自在に装着される。前板８、下部板９も共に透明板保持枠７とほぼ同じ横幅を有している。
【００１４】
前記前板８の前面に払い出されるパチンコ球を貯留する打球供給皿１０が装着され、また前板８の裏面には前記パチンコ球を後記する発射レール２０の発射位置Ａに供給するための球送り装置１１が装着されている。また、下部板９の前面には、前記打球供給皿１０から溢れるパチンコ球を貯留する余剰球受皿１２が装着されている。１３は余剰球受皿１２の一側に設けられ、発射されるパチンコ球の打球力の強弱を調節する操作ハンドルである。
【００１５】
前記遊技盤５の前面に、遊技部５ａを囲うようにして内側ガイドレール１４ａと外側ガイドレール１４ｂとが渦巻き状に配設される。前記遊技部５ａには、そのほぼ中央に表示部１５ａを備えた可変表示装置１５が配置され、また、その下方に弾球であるパチンコ球の入賞により前記表示部１５ａの文字、数字、図形等の表示を変動表示させる始動入賞口１６が配置される。更に、その下方に位置して前記変動した表示が一定の時間経過後に停止して特定の表示を示し、遊技者にとって有利な特別遊技状態になったとき、一定の条件の下で開閉扉１７ａを所定回数開成させ一度に多くの入賞球が得られる入賞装置１７が配置される。また、１８，１８はその両側に配設される一般入賞口である。
【００１６】
図３に示すように前記前枠２の前面下部には、外側ガイドレール１４ｂの始端側とファール球落下口１９を隔てて発射レール２０が取着されている。発射レール２０は前枠２の前面にビス止めされる取付基板２１の前面に一体に取着される。発射レール２０は横断面が基端側に向かって漸次深くなるＶ字型に成形されパチンコ球がその中央に位置するようにしている。また、発射レール２０基端は上方へ折り曲げられており、その折曲部に後記する打球槌２５の打撃部２５ａ先端が臨む通孔２２が開設されている。また、その上方にパチンコ球を発射位置Ａで停止保持するための球受部材２３が設けられている。
【００１７】
発射レール２０の下方であって前枠２の前面に、駆動モータ２４の回転により往復回動し上端の打撃部２５ａが前記発射位置Ａに臨みこの発射位置Ａにあるパチンコ球を発射させる打球槌２５が支軸２８により回動自在に軸支されている。なお、図示は省略するが駆動モータ２４は減速機付きのものであって、その駆動軸にカム片が設けられている。一方、打球槌２５は適宜弾発手段により常に発射レール２０側へ回動付勢されると共に前記カム片と間歇的に係合して打球槌２５を弾発手段に抗して回動させる係合ピンが取着されている。そして、前記係合が外れて打球槌２５が回動することによってパチンコ球を打撃し発射させることになる。
【００１８】
また、打球槌２５の近傍であって前枠２の前面に、軸支部２６からほぼ水平に伸びる上部アーム２７ａと同じく軸支部２６から上部アーム２７ａとほぼ直交する状態で垂下される下部アーム２７ｂとからなる球送りアーム２７が前記軸支部２６を支点として回動自在に軸支されている。前記下部アーム２７ｂは、打球槌２５の一側に設けられた作動杆２９に対接されている。そして、打球槌２５が図３矢視方向へ回動して作動杆２９が傾動すると、球送りアーム２７の下部アーム２７ｂが作動杆２９によって図３矢視方向へ押動され上部アーム２７ａを上方へ揺動するようにしている。
【００１９】
前板８の裏面に装着された球送り装置１１は、図４に示すように前面が解放される箱体からなる。箱体の内部に前記打球供給皿１０の流下端であって前板８に開設された球通孔３１と上流側で連通し、該球通孔３１から前板８に沿って下傾する球送通路３２が成形され、その流下端に球送通路３２と連通する球送出部３３が成形されている。球送出部３３の底壁１１ａ上面には、球送通路３２と仕切る横断状の開口３４が開設されている。球送り装置１１の後壁１１ｂは下方へ延設されており、その一側に球送り制御部材３５が支軸３６により揺動自在に軸支されている。球送り制御部材３５は、一端側に前記開口３４に介入すると共に上端に押上部３７を設けた押動杆３８が上方へ突設され、他端側に重錘３９が取着されている。前記押上部３７の上端面３７ａはほぼ水平に成形され前後方向には傾きがないようになっている。
【００２０】
これにより、球送り制御部材３５は常に重錘３９側に揺動するように付勢されており、押動杆３８側が上方へ回動したとき球送り装置１１の裏面に当接して停止し、前記押上部３７が開口３４から上方へ突出する。反対に、押動杆３８側が下方へ回動したとき球送り装置１１の後壁１１ｂの他側に成形された略Ｌ字型のガイド壁４０の下端に当接して停止し、前記押上部３７が開口３４内に没入するようになっている。重錘３９の下方には前記球送りアーム２７の上部アーム２７ａが配置され、球送りアーム２７の回動動作により球送り制御部材３５が揺動するようになっている。
【００２１】
球送出部３３に対応させて後壁１１ｂに球送出口４１が開設されている。また、天壁１１ｃの内面に二条の平行な誘導部４２，４２が球送通路３２と直交する向きに配置され、これら各誘導部４２の球送出口４１と対向する下面４２ａは球送出口４１に向かって漸次高くなる円弧状に切欠いて成形されている。球送出部３３の底壁１１ａの上面と球送出口４１の下縁との間に、底壁１１ａの上面にあるパチンコ球の無用な流出を防止する立上壁４３が設けられている。また、球送出部３３における球送通路３２の流下端と対向する側壁１１ｄであって底壁１１ａの上面からパチンコ球の半径寸法とほぼ同じ高さ位置に上方が広がる所定幅の段部４４が成形され、それより上方の側壁１１ｄ間が広くなっている。
【００２２】
本発明に係るパチンコ遊技機における球送り装置は上記構成からなり、次に作用について説明する。駆動モータ２４が停止しているときは、図５（イ）に示すように打球槌２５が打撃位置で停止しており、作動杆２９により球送りアーム２７を上方へ回動させその上部アーム２７ａをほぼ水平に位置させている。球送り制御部材３５は重錘３９側が下がるように揺動し、底壁１１ａの下面に当接してほぼ水平状態で停止している。これにより、球送り制御部材３５の押動杆３８が開口３４を介して球送出部３３内に突入している。この状態では、打球供給皿１０から球送通路３２内に導かれる複数のパチンコ球ｂの内、第１番目のパチンコ球ｂ１が押動杆３８の外側面に当接して停止させられている。
【００２３】
次に、駆動モータ２４が駆動すると、図５（ロ）に示すように打球槌２５が打撃準備位置まで回動し、作動杆２９により球送りアーム２７を更に上方へ回動してその上部アーム２７ａにより球送り制御部材３５の重錘３９側を更に上方へ押し上げる。これにより、球送り制御部材３５の押動杆３８が開口３４の下方へ没入する。この状態では、前記第１番目のパチンコ球ｂ１が球送出部３３内の底壁１１ａの上面に達して側壁１１ｄの内面に当接する。この際、第１番目のパチンコ球ｂ１は、立上壁４３により球送出口４１から無用に発射レール２０側へ送り出されることはない。
【００２４】
更に、駆動モータ２４の継続駆動により、図６（イ）（ロ）に示すように打球槌２５が打撃位置に回動する。本来はこのとき発射位置Ａにパチンコ球ｂが位置しており、このパチンコ球ｂが打球されることになるが、始めの状態では空打ちとなる。そして、作動杆２９が元の位置に戻り球送りアーム２７が下方へ回動すると共にその上部アーム２７ａも下がり、球送り制御部材３５は重錘３９側が下がる。これによって、球送り制御部材３５の押動杆３８が開口３４を介して球送出部３３内に突入し、その押上部３７の上端面３７ａにより第１番目のパチンコ球ｂ１を下から上方へ押し上げる。これにより、パチンコ球ｂ１は図７に示すように上方へ押し上げられつつ誘導部４２の下面４２ａに沿って球送出口４１側へ誘導され、最終的に球送出口４１から発射レール２０の上面に上方から落とされることになる。よって、パチンコ球ｂ１は発射レール２０の幅方向にぶれることがほとんど無い。同時に、球送通路３２内の第２番目のパチンコ球ｂ２は、押動杆３８の外側面に当接して停止させられている。
【００２５】
押動杆３８により押し上げられる前の第１番目のパチンコ球ｂ１は、球送出部３３における球送通路３２の流下端と対向するの側壁１１ｄとその上流に連続するパチンコ球ｂとで挟まれ所謂球圧を受けることになるが、前記側壁１１ｄの内面に底壁１１ａの上面からパチンコ球の半径寸法とほぼ同じ高さ位置に上方が広がる段部４４が設けられているので、押動杆３８により押し上げられるときパチンコ球ｂ１が上方へ抜け易く、パチンコ球ｂの円滑な供給が行なえる。
【００２６】
そして、発射レール２０の発射位置Ａに第一番目のパチンコ球ｂ１が供給される。以後、打球槌２５、球送りアーム２７等が前記と同様な動作を繰り返すことにより図６（ロ）に示すようにパチンコ球ｂが順次発射されることになる。
【図面の簡単な説明】
【００２７】
【図１】本発明が適用されるパチンコ遊技機の正面図。
【図２】同透明板保持枠及び前板を開いた状態の斜視図。
【図３】前枠の下部前面を示す正面図。
【図４】パチンコ遊技機における球送り装置の斜視図。
【図５】（イ）（ロ）作用を示す要部の正面図。
【図６】（イ）（ロ）作用を示す要部の正面図。
【図７】図５（イ）のＸ−Ｘ線断面図。
【符号の説明】
【００２８】
８        前板
１０      打球供給皿
１１      球送り装置
１１ａ    底壁
１１ｄ    側壁
２０      発射レール
３２      球送通路
３３      球送出部
３７ａ    上端面
３８      押動杆
４１      球送出口
４２      誘導部
４２ａ    下面
４３      立上壁
４４      段部
Ａ        発射位置
ｂ        パチンコ球
【図１】
2005046380.tif 000003
【図２】
2005046380.tif 000004
【図３】
2005046380.tif 000005
【図４】
2005046380.tif 000006
【図５】
2005046380.tif 000007
【図６】
2005046380.tif 000008
【図７】
2005046380.tif 000009